(57)【要約】【課題】塔状物施工時の工期短縮を図ると共に解体の際にも手間がかからないようにする。【解決手段】所定長さの煙突１２の外周面に、煙突１２の外周を覆う外壁膜１４の支持部材１３を一体的に取り付けた本発明のユニット構造体１１を積み重ね、これら積み重ねたユニット構造体１１の前記煙突１２同士を接合した後、前記支持部材１３の先端部外周を外壁膜１４で覆って内側から支持する。【効果】ユニット構造体を必要な数だけ施工場所に搬送し、積み重ねて接合するだけで施工が完了し、外部仮設足場が不要となって、更なる施工工期の短縮が可能になる。【選択図】図１
2014224393.tif 000002
【特許請求の範囲】
【請求項１】
構造物の外周面に支持部材を一体的に取り付け、これら支持部材の先端部に、前記支持部材によって構造物の外周を覆う外壁膜を内側から支持することを特徴とする塔状物構造。
【請求項２】
所定長さの構造物の外周面に、構造物の外周を覆う外壁膜を支持する支持部材を一体的に取り付けたことを特徴とするユニット構造体。
【請求項３】
前記支持部材の外周を覆う外壁膜を前記支持部材の先端部に支持させたことを特徴とする請求項２に記載のユニット構造体。
【請求項４】
所定長さの構造物の外周面に、構造物の外周を覆う外壁膜の支持部材を一体的に取り付けたユニット構造体を積み重ね、これら積み重ねたユニット構造体の前記構造物同士を接合した後、前記支持部材の先端部外周を外壁膜で覆って内側から支持することを特徴とする塔状物の施工方法。
【請求項５】
所定長さの構造物の外周面に、構造物の外周を覆う外壁膜の支持部材を一体的に取り付け、かつ、前記支持部材の外周を覆う外壁膜を前記支持部材の先端部に支持させたユニット構造体を積み重ね、これら積み重ねたユニット構造体の前記構造物同士を接合することを特徴とする塔状物の施工方法。
【発明の詳細な説明】
【技術分野】
【０００１】
本発明は、例えば構造物と、この構造物を風雨から防いだり、美観を向上させる目的の外壁を一体とした塔状物構造、及びこの塔状物を組み立てるためのユニット構造体、及び当該ユニット構造体を用いた塔状物の施工方法に関するものである。
【０００２】
本明細書でいう構造物とは、煙突や、コンクリート製若しくは鋼製の、高速道路の床版を支える橋脚・野球場やサッカー場等の照明用支柱・電波の送受信目的のアンテナ塔等である。
【背景技術】
【０００３】
例えば煙突を都市部や観光地などに建設する場合、景観を損なわないように、装飾性を有する外壁で煙突の周囲を覆っている（例えば特許文献１）。
【０００４】
この煙突の周囲を覆う外壁は、例えば図６に示すような鉄筋コンクリートで構成したり、軽量気泡コンクリート、プレストレスコンクリートパネル等で構成するのが一般的であり、煙突と外壁は分離した構造となっている。
【０００５】
なお、図６中の１ａ，１ｂは煙突、２は点検用床、３は鉄筋コンクリート構造の外壁、４は階段、５ａ，５ｂは前記煙突１ａ，１ｂに設けられた点検用マンホール、６は同じく排ガス測定孔、７ａ，７ｂは同じく煙道口を示す。
【０００６】
近年、工期短縮を目指した煙突製品を求める声が多くなってきており、また、煙突解体の際に手間のかからない構造が求められている。
【０００７】
しかしながら、鉄筋コンクリート製等の外壁の場合、施工に要する工期が１年程度必要になるのと共に、解体の際にも手間がかかる。また、環境に配慮する設計を行うことが難しく、形状も、角型、円形、多角形など、画一的なものに限られる。
【先行技術文献】
【特許文献】
【０００８】
【特許文献１】特開平０６−６６０５１号公報
【発明の概要】
【発明が解決しようとする課題】
【０００９】
本発明が解決しようとする問題点は、構造物の周囲に設けられる外壁が鉄筋コンクリート製等の場合、施工工期が１年程度必要であるのと共に解体にも手間がかかるという点である。また、環境に配慮する設計を行うことが難しく、形状も、角型、円形、多角形など、画一的なものに限られるという点である。
【課題を解決するための手段】
【００１０】
本発明は、塔状物施工時の工期短縮が図れると共に解体の際にも手間がかからず、しかも、環境に配慮する外壁設計やデザイン性を高めた幾何学的な形状とできるようにすることを目的としてなされたものである。
【００１１】
本発明の塔状物構造は、
構造物の外周面に支持部材を一体的に取り付け、これら支持部材の先端部に、前記支持部材によって構造物の外周を覆う外壁膜を内側から支持することを最も主要な特徴としている。
【００１２】
前記本発明構造の塔状物は、
例えば、
所定長さの構造物の外周面に、構造物の外周を覆う外壁膜の支持部材を一体的に取り付けた本発明のユニット構造体を積み重ね、これら積み重ねたユニット構造体の前記構造物同士を接合した後、前記支持部材の先端部外周を外壁膜で覆って内側から支持することで施工が完了する。これが本発明の塔状物の施工方法である。
【００１３】
上記本発明では、例えば、本発明のユニット構造体を必要な数だけ施工場所に搬送し、積み重ねて接合し外壁膜で覆うだけで塔状物の施工が完了するので、外部仮設足場が不要となって、施工工期の短縮が可能になる。
【発明の効果】
【００１４】
本発明では、周囲に設ける外壁を、環境に配慮する設計が可能で、デザイン性を高めた幾何学的な形状とできる膜構造とすることで外壁の重量を低減できるので、構造物に支持部材を一体的に取り付け、外壁膜を支持させることができる。従って、ユニット構造体を必要な数だけ施工場所に搬送し、積み重ねて接合するだけで施工が完了し、外部仮設足場が不要となって、更なる施工工期の短縮が可能になる。
【図面の簡単な説明】
【００１５】
【図１】本発明のユニット構造体を積み重ねて施工した本発明の塔状物構造の一例を示した図で、（ａ）は斜視図、（ｂ）は（ａ）図のＡ位置における横断面図である。
【図２】（ａ）は本発明のユニット構造体を積み重ねて施工した塔状物の要部の縦断面図、（ｂ）は（ａ）図の矢視Ｂ−Ｂ図である。
【図３】（ａ）は本発明の他のユニット構造体同士を積み重ねて施工する本発明の施工方法の説明図、（ｂ）は（ａ）図のＣ部拡大図である。
【図４】本発明構造の塔状物の他の例の横断面形状を示した図である。
【図５】本発明構造の塔状物における外壁膜の他の支持態様を示した図である。
【図６】従来の煙突構造を説明する図で、（ａ）は縦断面図、（ｂ）は（ａ）図のＤ−Ｄ面図である。
【発明を実施するための形態】
【００１６】
本発明は、塔状物施工時の工期短縮を図ると共に解体の際にも手間がかからないようにするという目的を、構造物の外周面に支持部材を一体的に取り付け、支持部材の先端部に、構造物の外周を覆う外壁膜を内側から支持することで実現した。
【実施例】
【００１７】
以下、本発明を実施するための形態を、図１〜図５を用いて詳細に説明する。
図１は本発明のユニット構造体を積み重ねて施工した本発明の塔状物構造の一例を示した図、図２は本発明のユニット構造体を積み重ねて施工した塔状物の要部の断面図である。
【００１８】
本発明の塔状物構造は、構造物である例えば煙突１２の外周面所定位置に、例えば溶接などによって必要数の支持部材１３を一体的に取り付け、これら支持部材１３の先端部に、支持部材１３によって外壁膜１４を内側から支持するように構成したものである。
【００１９】
以下、上記構成の本発明の塔状物構造を施工するためのユニット構造体１１について説明し、このユニット構造物１１を用いて本発明の塔状物構造を施工する方法を説明する。
【００２０】
１１はユニット構造体であり、所定長さの煙突１２の、例えば長手方向の長さを３等分する位置における外周の適数か所に、支持部材１３を放射状に取り付けて一体化した構成である。図１では、煙突１２の外周を４等分する位置と、これら４等分する位置の間に支持部材１３を取り付けた例を示している。
【００２１】
前記支持部材１３は、その先端部で煙突１２の周囲を覆う外壁膜１４を内側から支持できるものであれば、その先端部で外壁膜１４を直接支持するものでも、他の部材を介してその先端部で外壁膜１４を支持するものでも良い。
【００２２】
また、前記支持部材１３は、その先端部で外壁膜１４を内側から支持できるものであれば、その他の構成は問わない。
【００２３】
例えば、図２（ｂ）では、長手方向の中間部分に水平力伝達部材１３ａを設けて長手方向の長さを変化できるものを示している。しかしながら、このような水平力伝達部材を設けず、長手方向の長さを変化できないものであっても良い。
【００２４】
また、前記支持部材１３は、図１や、図２（ａ）の下部に位置する支持部材１３のような棒状のものに限らず、図２（ａ）の上部に位置する支持部材１３のように梁状であっても、また中間部に位置する支持部材１３のような板状であっても良い。
【００２５】
前記梁状の支持部材１３の場合は、その上面に例えば縞鋼板１５を敷設することで、また、前記板状の支持部材１３の場合はそのままで、点検床とすることができる。このように支持部材１３に点検床を兼ねさせる場合には、梁状或いは板状の支持部材１３を採用することが望ましい。
【００２６】
図１及び図２に示した構成のユニット構造体１１を用いて塔状物を施工する場合は、必要数のユニット構造体１１を長手方向に積み重ね、これら積み重ねた煙突１２同士を、例えば溶接する。
【００２７】
次に、積み重ねて溶接した煙突１２の長手方向の支持部材１３同士を繋ぐように、各々の支持部材１３の先端部にケーブル１６を取り付ける。その後、施工した塔状物が景観を損なわないように、これらケーブル１６で外壁膜１４を支持させ、支持させた外壁膜１４を内側から固定する。
【００２８】
このように、本発明では、ユニット構造体１１を必要な数だけ施工場所に搬送して積み重ねて接合し、積み重ねたユニット構造体１１の外周に外壁膜１４を内側から支持するだけで施工が完了する。
【００２９】
従って、外部仮設足場が不要となって、更なる施工工期の短縮が可能になる。また、重量の軽い膜構造とした外壁により、環境に配慮する設計が可能で、デザイン性を高めた幾何学的な形状とすることができる。
【００３０】
本発明は、前記の例に限るものではなく、各請求項に記載の技術的思想の範疇であれば、適宜実施の形態を変更しても良いことは言うまでもない。
【００３１】
例えば、図３に示すように、煙突１２の長手方向に固定した支持部材１３同士を繋ぐように、支持部材１３の先端部に垂直支持部材１７を取り付け、これら垂直支持部材１６に予め外壁膜１４を固定したユニット構造体１１を使用しても良い。
【００３２】
このように、予め垂直支持部材１７や外壁膜１４を固定したユニット構造体１１を使用する場合は、図３に示すように、必要数のユニット構造体１１を長手方向に積み重ね、これら積み重ねた煙突１２同士を、例えば溶接するだけで塔状物の施工が完了する。
【００３３】
また、図３に示したユニット構造体１１から外壁膜１４を除いたユニット構造体１１でも良い。この場合は、必要数のユニット構造体１１を長手方向に積み重ね、これら積み重ねた煙突１２同士を例えば溶接した後に、外壁膜１４を取り付ける。
【００３４】
また、上記図１〜図３に示した例では、１本の煙突１２の外周を外壁膜１４で覆っているが、図４に示すように、２本の煙突１２の外周を外壁膜１４で覆う場合も同様に施工することができる。
【００３５】
また、上記の例では、外壁膜１４の支持を支持部材１３の先端部のみで行っているが、図５に示すように、支持部材１３の間にケーブル１８を張り、このケーブル１８にも外壁膜１４を支持させるようにすれば、さらにデザイン性を高めた外壁とすることができる。
【符号の説明】
【００３６】
１１    ユニット構造体
１２    煙突
１３    支持部材
１４    外壁膜
１６    ケーブル
１７    垂直支持部材
１８    ケーブル
【図１】
2014224393.tif 000003
【図２】
2014224393.tif 000004
【図３】
2014224393.tif 000005
【図４】
2014224393.tif 000006
【図５】
2014224393.tif 000007
【図６】
2014224393.tif 000008